(57)【要約】  本開示は、ネットワークダウンロードなしにジオフェンスを与え、取得することを対象とする。一実施形態は、ジオフェンスパラメータを生成し、ポータブル記憶メディア上でジオフェンスパラメータを符号化し、ここにおいて、ジオフェンスパラメータは、ロケーション対応モバイルデバイスがポータブル記憶メディアを走査するときにロケーション対応モバイルデバイスに転送される。一実施形態は、ロケーション対応モバイルデバイスによってポータブル記憶メディアを走査し、ここにおいて、ポータブル記憶メディアはジオフェンスパラメータを記憶し、ここにおいて、ポータブル記憶メディアを走査することは、ジオフェンスパラメータをロケーション対応モバイルデバイスに転送する。一実施形態は、ジオフェンスの外周と、ジオフェンスの外周に関連付けられた１つまたは複数の警報条件とを含む、ジオフェンスパラメータを備える非一時的ポータブル記憶メディアを含み、ここにおいて、ポータブル記憶メディアを走査することは、ジオフェンスパラメータをロケーション対応モバイルデバイスに転送する。【選択図】      図７
2016506637.tif 000002
【特許請求の範囲】
【請求項１】
ネットワークダウンロードなしにジオフェンスを与えるための方法であって、
ジオフェンスパラメータを生成することと、
ポータブル記憶メディア上で前記ジオフェンスパラメータを符号化することと
を備え、
ここにおいて、前記ジオフェンスパラメータは、ロケーション対応モバイルデバイスが前記ポータブル記憶メディアを走査するときに前記ロケーション対応モバイルデバイスに転送される、方法。
【請求項２】
前記ポータブル記憶メディアが、
マトリックスバーコード、
無線周波数識別（ＲＦＩＤ）タグ、または
ニアフィールド通信（ＮＦＣ）送信機
のうちの１つである、請求項１に記載の方法。
【請求項３】
前記ポータブル記憶メディアを走査することが、前記マトリックスバーコードを読み取ることを備える、請求項２に記載の方法。
【請求項４】
前記ポータブル記憶メディアを走査することが、前記ＲＦＩＤタグを走査することを備える、請求項２に記載の方法。
【請求項５】
前記ポータブル記憶メディアを走査することが、前記ＮＦＣ送信機を走査することを備える、請求項２に記載の方法。
【請求項６】
前記ポータブル記憶メディアが、電力を消費しない受動デバイスである、請求項１に記載の方法。
【請求項７】
前記ジオフェンスパラメータが前記ジオフェンスの外周を備える、請求項１に記載の方法。
【請求項８】
前記ジオフェンスパラメータが１つまたは複数の警報条件を備える、請求項１に記載の方法。
【請求項９】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項８に記載の方法。
【請求項１０】
前記ロケーション対応モバイルデバイスは、前記１つまたは複数の警報条件が満たされた場合に警報を発する、請求項８に記載の方法。
【請求項１１】
前記ロケーション対応モバイルデバイスが前記ロケーション対応モバイルデバイスのユーザに前記警報を発する、請求項１０に記載の方法。
【請求項１２】
前記ロケーション対応モバイルデバイスが、前記ジオフェンスを監視するサードパーティに警報を発する、請求項１０に記載の方法。
【請求項１３】
前記ポータブル記憶メディアが、前記ジオフェンスによって制限されたエリアに隣接して配置される、請求項１に記載の方法。
【請求項１４】
前記ロケーション対応モバイルデバイスが、セルフォン、タブレットコンピュータ、または携帯情報端末のうちの１つである、請求項１に記載の方法。
【請求項１５】
前記ロケーション対応モバイルデバイスのユーザがサードパーティベンダーから前記ロケーション対応モバイルデバイスを取得する、請求項１に記載の方法。
【請求項１６】
前記ロケーション対応モバイルデバイスが、前記ジオフェンスに関連付けられた人員によってユーザに与えられる、請求項１に記載の方法。
【請求項１７】
ネットワークダウンロードなしにジオフェンスを取得するための方法であって、
ロケーション対応モバイルデバイスによってポータブル記憶メディアを走査すること
を備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、方法。
【請求項１８】
前記ポータブル記憶メディアが、
マトリックスバーコード、
無線周波数識別（ＲＦＩＤ）タグ、または
ニアフィールド通信（ＮＦＣ）送信機
のうちの１つである、請求項１７に記載の方法。
【請求項１９】
前記ポータブル記憶メディアを走査することが、前記マトリックスバーコードを読み取ることを備える、請求項１８に記載の方法。
【請求項２０】
前記ポータブル記憶メディアを走査することが、前記ＲＦＩＤタグを走査することを備える、請求項１８に記載の方法。
【請求項２１】
前記ポータブル記憶メディアを走査することが、前記ＮＦＣ送信機を走査することを備える、請求項１８に記載の方法。
【請求項２２】
前記ポータブル記憶メディアが、電力を消費しない受動デバイスである、請求項１７に記載の方法。
【請求項２３】
前記ジオフェンスパラメータが前記ジオフェンスの外周を備える、請求項１７に記載の方法。
【請求項２４】
前記ジオフェンスパラメータが１つまたは複数の警報条件を備える、請求項１７に記載の方法。
【請求項２５】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項２４に記載の方法。
【請求項２６】
前記１つまたは複数の警報条件が満たされた場合に警報を発すること
をさらに備える、請求項２４に記載の方法。
【請求項２７】
前記発することが、前記ロケーション対応モバイルデバイスのユーザに前記警報を発することを備える、請求項２６に記載の方法。
【請求項２８】
前記発することが、前記ジオフェンスを監視するサードパーティに前記警報を発することを備える、請求項２６に記載の方法。
【請求項２９】
前記ポータブル記憶メディアが、前記ジオフェンスによって制限されたエリアに隣接して配置される、請求項１７に記載の方法。
【請求項３０】
前記ロケーション対応モバイルデバイスが、セルフォン、タブレットコンピュータ、または携帯情報端末のうちの１つである、請求項１７に記載の方法。
【請求項３１】
前記ロケーション対応モバイルデバイスのユーザがサードパーティベンダーから前記ロケーション対応モバイルデバイスを取得する、請求項１７に記載の方法。
【請求項３２】
前記ロケーション対応モバイルデバイスが、前記ジオフェンスに関連付けられた人員によってユーザに与えられる、請求項１７に記載の方法。
【請求項３３】
前記ロケーションイネーブルモバイルデバイスは、それの地理的位置を取得することが可能なモバイルデバイスである、請求項１７に記載の方法。
【請求項３４】
全地球測位システム（ＧＰＳ）受信機を使用して前記ロケーション対応モバイルデバイスの地理的位置を判断すること
をさらに備える、請求項３３に記載の方法。
【請求項３５】
前記地理的位置の精度がしきい値よりも小さい場合、前記地理的位置をオーグメントすることを試みること
をさらに備える、請求項３４に記載の方法。
【請求項３６】
非一時的ポータブル記憶メディアであって、
ジオフェンスの外周と、
前記ジオフェンスの前記外周に関連付けられた１つまたは複数の警報条件と
を含む、ジオフェンスパラメータ
を備え、
ここにおいて、前記ポータブル記憶メディアを走査することが、前記ジオフェンスパラメータをロケーション対応モバイルデバイスに転送する、非一時的ポータブル記憶メディア。
【請求項３７】
前記ポータブル記憶メディアが、
マトリックスバーコード、
無線周波数識別（ＲＦＩＤ）タグ、または
ニアフィールド通信（ＮＦＣ）送信機
のうちの１つである、請求項３６に記載のポータブル記憶メディア。
【請求項３８】
前記ポータブル記憶メディアを走査することが、前記マトリックスバーコードを読み取ることを備える、請求項３７に記載のポータブル記憶メディア。
【請求項３９】
前記ポータブル記憶メディアを走査することが、前記ＲＦＩＤタグを走査することを備える、請求項３７に記載のポータブル記憶メディア。
【請求項４０】
前記ポータブル記憶メディアを走査することが、前記ＮＦＣ送信機を走査することを備える、請求項３７に記載のポータブル記憶メディア。
【請求項４１】
前記ポータブル記憶メディアが、電力を消費しない受動デバイスである、請求項３６に記載のポータブル記憶メディア。
【請求項４２】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項３６に記載のポータブル記憶メディア。
【請求項４３】
ネットワークダウンロードなしにジオフェンスを与えるための装置であって、
少なくとも１つのプロセッサと、
命令を記憶するメモリと
を備え、前記命令は、前記少なくとも１つのプロセッサによって実行されたとき、前記装置に、
ジオフェンスパラメータを生成することと、
ポータブル記憶メディア上で前記ジオフェンスパラメータを符号化することと
を備える動作を実行させ、
ここにおいて、前記ジオフェンスパラメータは、ロケーション対応モバイルデバイスが前記ポータブル記憶メディアを走査するときに前記ロケーション対応モバイルデバイスに転送される、装置。
【請求項４４】
前記ポータブル記憶メディアが、
マトリックスバーコード、
無線周波数識別（ＲＦＩＤ）タグ、または
ニアフィールド通信（ＮＦＣ）送信機
のうちの１つである、請求項４３に記載の装置。
【請求項４５】
前記ポータブル記憶メディアを走査することが、前記マトリックスバーコードを読み取ることを備える、請求項４４に記載の装置。
【請求項４６】
前記ポータブル記憶メディアを走査することが、前記ＲＦＩＤタグを走査することを備える、請求項４４に記載の装置。
【請求項４７】
前記ポータブル記憶メディアを走査することが、前記ＮＦＣ送信機を走査することを備える、請求項４４に記載の装置。
【請求項４８】
前記ポータブル記憶メディアが、電力を消費しない受動デバイスである、請求項４３に記載の装置。
【請求項４９】
前記ジオフェンスパラメータが前記ジオフェンスの外周を備える、請求項４３に記載の装置。
【請求項５０】
前記ジオフェンスパラメータが１つまたは複数の警報条件を備える、請求項４９に記載の装置。
【請求項５１】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項５０に記載の装置。
【請求項５２】
前記ロケーション対応モバイルデバイスは、前記１つまたは複数の警報条件が満たされた場合に警報を発する、請求項５０に記載の装置。
【請求項５３】
前記ロケーション対応モバイルデバイスが前記ロケーション対応モバイルデバイスのユーザに前記警報を発する、請求項５２に記載の装置。
【請求項５４】
前記ロケーション対応モバイルデバイスが、前記ジオフェンスを監視するサードパーティに警報を発する、請求項５２に記載の装置。
【請求項５５】
前記ポータブル記憶メディアが、前記ジオフェンスによって制限されたエリアに隣接して配置される、請求項４３に記載の装置。
【請求項５６】
前記ロケーション対応モバイルデバイスが、セルフォン、タブレットコンピュータ、または携帯情報端末のうちの１つである、請求項４３に記載の装置。
【請求項５７】
前記ロケーション対応モバイルデバイスのユーザがサードパーティベンダーから前記ロケーション対応モバイルデバイスを取得する、請求項４３に記載の装置。
【請求項５８】
前記ロケーション対応モバイルデバイスが、前記ジオフェンスに関連付けられた人員によってユーザに与えられる、請求項４３に記載の装置。
【請求項５９】
ネットワークダウンロードなしにジオフェンスを取得するための装置であって、
少なくとも１つのプロセッサと、
命令を記憶するメモリと
を備え、前記命令は、前記少なくとも１つのプロセッサによって実行されたとき、前記装置に、
ロケーション対応モバイルデバイスによってポータブル記憶メディアを走査すること
を備える動作を実行させ、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、装置。
【請求項６０】
前記ポータブル記憶メディアが、
マトリックスバーコード、
無線周波数識別（ＲＦＩＤ）タグ、または
ニアフィールド通信（ＮＦＣ）送信機
のうちの１つである、請求項５９に記載の装置。
【請求項６１】
前記ポータブル記憶メディアを走査することが、前記マトリックスバーコードを読み取ることを備える、請求項６０に記載の装置。
【請求項６２】
前記ポータブル記憶メディアを走査することが、前記ＲＦＩＤタグを走査することを備える、請求項６０に記載の装置。
【請求項６３】
前記ポータブル記憶メディアを走査することが、前記ＮＦＣ送信機を走査することを備える、請求項６０に記載の装置。
【請求項６４】
前記ポータブル記憶メディアが、電力を消費しない受動デバイスである、請求項５９に記載の装置。
【請求項６５】
前記ジオフェンスパラメータが前記ジオフェンスの外周を備える、請求項５９に記載の装置。
【請求項６６】
前記ジオフェンスパラメータが１つまたは複数の警報条件を備える、請求項６５に記載の装置。
【請求項６７】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項６６に記載の装置。
【請求項６８】
前記動作は、
前記１つまたは複数の警報条件が満たされた場合に警報を発すること
をさらに備える、請求項６６に記載の装置。
【請求項６９】
前記発することが、前記ロケーション対応モバイルデバイスのユーザに前記警報を発することを備える、請求項６８に記載の装置。
【請求項７０】
前記発することが、前記ジオフェンスを監視するサードパーティに前記警報を発することを備える、請求項６８に記載の装置。
【請求項７１】
前記ポータブル記憶メディアが、前記ジオフェンスによって制限されたエリアに隣接して配置される、請求項５９に記載の装置。
【請求項７２】
前記ロケーション対応モバイルデバイスが、セルフォン、タブレットコンピュータ、または携帯情報端末のうちの１つである、請求項５９に記載の装置。
【請求項７３】
前記ロケーション対応モバイルデバイスのユーザがサードパーティベンダーから前記ロケーション対応モバイルデバイスを取得する、請求項５９に記載の装置。
【請求項７４】
前記ロケーション対応モバイルデバイスが、前記ジオフェンスに関連付けられた人員によってユーザに与えられる、請求項５９に記載の装置。
【請求項７５】
前記ロケーションイネーブルモバイルデバイスは、それの地理的位置を取得することが可能なモバイルデバイスである、請求項５９に記載の装置。
【請求項７６】
前記動作が、
全地球測位システム（ＧＰＳ）受信機を使用して前記ロケーション対応モバイルデバイスの地理的位置を判断すること
をさらに備える、請求項７５に記載の装置。
【請求項７７】
前記動作は、
前記地理的位置の精度がしきい値よりも小さい場合、前記地理的位置をオーグメントすることを試みること
をさらに備える、請求項７６に記載の装置。
【請求項７８】
ネットワークダウンロードなしにジオフェンスを与えるための装置であって、
ジオフェンスパラメータを生成するように構成された論理と、
ポータブル記憶メディア上で前記ジオフェンスパラメータを符号化するように構成された論理と
を備え、
ここにおいて、前記ジオフェンスパラメータは、ロケーション対応モバイルデバイスが前記ポータブル記憶メディアを走査するときに前記ロケーション対応モバイルデバイスに転送される、装置。
【請求項７９】
ネットワークダウンロードなしにジオフェンスを取得するための装置であって、
ロケーション対応モバイルデバイスによってポータブル記憶メディアを走査するように構成された論理
を備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、装置。
【請求項８０】
ネットワークダウンロードなしにジオフェンスを与えるための装置であって、
ジオフェンスパラメータを生成するための手段と、
ポータブル記憶メディア上で前記ジオフェンスパラメータを符号化するための手段と
を備え、
ここにおいて、前記ジオフェンスパラメータは、ロケーション対応モバイルデバイスが前記ポータブル記憶メディアを走査するときに前記ロケーション対応モバイルデバイスに転送される、装置。
【請求項８１】
ネットワークダウンロードなしにジオフェンスを取得するための装置であって、
ロケーション対応モバイルデバイスによってポータブル記憶メディアを走査するための手段
を備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、装置。
【請求項８２】
ネットワークダウンロードなしにジオフェンスを与えるための非一時的コンピュータ可読媒体であって、
ジオフェンスパラメータを生成するための少なくとも１つの命令と、
ポータブル記憶メディア上で前記ジオフェンスパラメータを符号化するための少なくとも１つの命令と
を備え、
ここにおいて、前記ジオフェンスパラメータは、ロケーション対応モバイルデバイスが前記ポータブル記憶メディアを走査するときに前記ロケーション対応モバイルデバイスに転送される、非一時的コンピュータ可読媒体。
【請求項８３】
ネットワークダウンロードなしにジオフェンスを取得するための非一時的コンピュータ可読媒体であって、
ロケーション対応モバイルデバイスによってポータブル記憶メディアを走査するための少なくとも１つの命令
を備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、非一時的コンピュータ可読媒体。
【発明の詳細な説明】
【技術分野】
【０００１】
[0001]本開示は、ネットワークダウンロードなしにジオフェンス（geo-fence）を取得することを対象とする。
【背景技術】
【０００２】
[0002]セルフォンユーザがジオフェンスの境界に近く、ジオフェンスがユーザに関連するとき、ユーザは、ジオフェンスをセルフォン（またはそれの地理的ロケーションを判断することが可能な他のモバイルデバイス）上にロードすることを望み得る。一般に、セルフォンは、ジオフェンスをダウンロードするためにネットワーク接続を確立しなければならない。しかしながら、セルフォンは、ネットワーク接続を確立することが可能でないことがあるか、またはユーザは、ネットワーク接続を確立することを望まないことがある。さらに、ユーザは、そのロケーションについてジオフェンスが利用可能であることに気づいていないことがある。
【０００３】
[0003]したがって、ユーザが、ジオフェンスエリアの近くで、ジオフェンスが利用可能であることを示したサインを提示され、ネットワーク接続を必要とすることなしにジオフェンスパラメータを取得する方法を与えられれば有益であろう。
【発明の概要】
【０００４】
[0004]本開示は、ネットワークダウンロードなしにジオフェンスを与え、取得することを対象とする。一実施形態は、ジオフェンスパラメータを生成し、ポータブル記憶メディア上でジオフェンスパラメータを符号化し、ここにおいて、ジオフェンスパラメータは、ロケーション対応モバイルデバイス（location-enabled mobile device）がポータブル記憶メディアを走査するときにロケーション対応モバイルデバイスに転送される。一実施形態は、ロケーション対応モバイルデバイスによってポータブル記憶メディアを走査し、ここにおいて、ポータブル記憶メディアはジオフェンスパラメータを記憶し、ここにおいて、ポータブル記憶メディアを走査することは、ジオフェンスパラメータをロケーション対応モバイルデバイスに転送する。一実施形態は、ジオフェンスの外周と、ジオフェンスの外周に関連付けられた１つまたは複数の警報条件とを含む、ジオフェンスパラメータを備える非一時的ポータブル記憶メディアを含み、ここにおいて、ポータブル記憶メディアを走査することは、ジオフェンスパラメータをロケーション対応モバイルデバイスに転送する。
【０００５】
[0005]本発明の実施形態とそれの付随する利点の多くとのより完全な諒解は、以下の詳細な説明を参照し、本発明を限定するためではなく単に例示するために提示する添付の図面に関連して考察することによって、よりよく理解されれば、容易に得られるであろう。
【図面の簡単な説明】
【０００６】
【図１】[0006]本発明の一実施形態による、ワイヤレス通信システムのハイレベルシステムアーキテクチャを示す図。
【図２】[0007]本発明の実施形態による、ユーザ機器（ＵＥ）の例を示す図。
【図３】[0008]本発明の一実施形態による、機能を実施するように構成された論理を含む通信デバイスを示す図。
【図４】[0009]一実施形態による、例示的なクイックレスポンス（ＱＲ：quick response）コードを示す図。
【図５】[0010]一実施形態による、例示的なＱＲコード（登録商標）を示す図。
【図６】[0011]一実施形態による、例示的なＱＲコードを示す図。
【図７】[0012]一実施形態の例示的なフローを示す図。
【図８】[0013]一実施形態の例示的なフローを示す図。
【発明を実施するための形態】
【０００７】
[0014]本発明の特定の実施形態を対象とする以下の説明および関連する図面において、本発明の態様が開示される。本発明の範囲から逸脱することなく、代替実施形態が考案され得る。さらに、本発明の関連する詳細を不明瞭にしないように、本発明のよく知られている要素については詳細に説明しないか、または省略する。
【０００８】
[0015]「例示的」および／または「例」という単語は、本明細書では「例、事例、または例示の働きをすること」を意味するために使用する。本明細書で「例示的」および／または「例」として説明するいかなる実施形態も、必ずしも他の実施形態よりも好ましいまたは有利であると解釈されるべきであるとは限らない。同様に、「本発明の実施形態」という用語は、本発明のすべての実施形態が、説明する特徴、利点または動作モードを含むことを必要としない。
【０００９】
[0016]さらに、多くの実施形態について、たとえば、コンピューティングデバイスの要素によって実行されるべき一連のアクションに関して説明する。本明細書で説明する様々なアクションは、特定の回路（たとえば、特定用途向け集積回路（ＡＳＩＣ））によって、１つまたは複数のプロセッサによって実行されるプログラム命令によって、あるいは両方の組合せによって実行され得ることを認識されよう。さらに、本明細書で説明するこれらの一連のアクションは、実行時に、関連するプロセッサに本明細書で説明する機能を実行させるコンピュータ命令の対応するセットを記憶した任意の形態のコンピュータ可読記憶媒体内で全体として実施されるべきものと見なされ得る。したがって、本発明の様々な態様は、すべてが請求する主題の範囲内に入ることが企図されているいくつかの異なる形態で実施され得る。さらに、本明細書で説明する実施形態の各々について、任意のそのような実施形態の対応する形式について、本明細書では、たとえば、説明するアクションを実行する「ように構成された論理」として説明することがある。
【００１０】
[0017]本明細書でユーザ機器（ＵＥ）と呼ばれるクライアントデバイスは、モバイルまたは固定であり得、無線アクセスネットワーク（ＲＡＮ）と通信し得る。本明細書で使用する「ＵＥ」という用語は、互換的に、「アクセス端末」または「ＡＴ」、「ワイヤレスデバイス」、「加入者デバイス」、「加入者端末」、「加入者局」、「ユーザ端末」またはＵＴ、「モバイル端末」、「移動局」およびそれらの変形形態と呼ばれることがある。概して、ＵＥは、ＲＡＮを介してコアネットワークと通信することができ、コアネットワークを通して、ＵＥは、インターネットなどの外部ネットワークと接続され得る。もちろん、ワイヤードアクセスネットワーク、（たとえば、ＩＥＥＥ８０２．１１などに基づく）ＷｉＦｉ（登録商標）ネットワークなどを介してなど、コアネットワークおよび／またはインターネットに接続する他の機構もＵＥのために可能である。ＵＥは、限定はしないが、ＰＣカード、コンパクトフラッシュ（登録商標）デバイス、外部または内部モデム、ワイヤレスまたはワイヤラインフォンなどを含む、いくつかのタイプのデバイスのいずれかによって実施され得る。ＵＥがそれを通してＲＡＮに信号を送ることができる通信リンクはアップリンクチャネル（たとえば、逆方向トラフィックチャネル、逆方向制御チャネル、アクセスチャネルなど）と呼ばれる。ＲＡＮがそれを通してＵＥに信号を送ることができる通信リンクはダウンリンクまたは順方向リンクチャネル（たとえば、ページングチャネル、制御チャネル、ブロードキャストチャネル、順方向トラフィックチャネルなど）と呼ばれる。本明細書で使用するトラフィックチャネル（ＴＣＨ：traffic channel）という用語は、アップリンク／逆方向トラフィックチャネルまたはダウンリンク／順方向トラフィックチャネルのいずれかを指すことがある。
【００１１】
[0018]図１に、本発明の一実施形態による、ワイヤレス通信システム１００のハイレベルシステムアーキテクチャを示す。ワイヤレス通信システム１００はＵＥ１．．．Ｎを含んでいる。ＵＥ１．．．Ｎは、セルラー電話、携帯情報端末（ＰＤＡ）、ページャ、ラップトップコンピュータ、デスクトップコンピュータなどを含むことができる。たとえば、図１では、ＵＥ１．．．２はセルラー発呼フォンとして示されており、ＵＥ３．．．５はセルラータッチスクリーンフォンまたはスマートフォンとして示されており、ＵＥ  ＮはデスクトップコンピュータまたはＰＣとして示されている。
【００１２】
[0019]図１を参照すると、ＵＥ１．．．Ｎは、エアインターフェース１０４、１０６、１０８として図１に示された物理通信インターフェースまたはレイヤ、および／あるいは直接ワイヤード接続を介して、ＲＡＮ１２０と通信するように構成される。エアインターフェース１０４および１０６は所与のセルラー通信プロトコル（たとえば、ＣＤＭＡ、ＥＶＤＯ、ｅＨＲＰＤ、ＧＳＭ（登録商標）、ＥＤＧＥ、Ｗ−ＣＤＭＡ（登録商標）、ＬＴＥなど）に準拠することができ、エアインターフェース１０８はワイヤレスＩＰプロトコル（たとえば、ＩＥＥＥ８０２．１１）に準拠することができる。ＲＡＮ１２０は、エアインターフェース１０４および１０６など、エアインターフェースを介してＵＥをサービスする複数のアクセスポイントを含む。ＲＡＮ１２０中のアクセスポイントは、アクセスノードまたはＡＮ、アクセスポイントまたはＡＰ、基地局またはＢＳ、ノードＢ、ｅノードＢなどと呼ばれることがある。これらのアクセスポイントは、地上波アクセスポイント（または地上局）、または衛星アクセスポイントであり得る。ＲＡＮ１２０は、ＲＡＮ１２０によってサービスされるＵＥと、ＲＡＮ１２０または異なるＲＡＮによってサービスされる他のＵＥとの間の回線交換（ＣＳ）呼を全体的にブリッジすることを含む、様々な機能を実施することができる、およびインターネット１７５などの外部ネットワークとのパケット交換（ＰＳ）データの交換を仲介することもできる、コアネットワーク１４０に接続するように構成される。インターネット１７５は（便宜上図１には示されていない）いくつかのルーティングエージェントおよび処理エージェントを含む。図１では、ＵＥ  Ｎは、インターネット１７５に直接接続するもの（すなわち、ＷｉＦｉまたは８０２．１１ベースのネットワークのイーサネット（登録商標）接続を介してなど、コアネットワーク１４０とは別個）として示されている。インターネット１７５は、したがって、コアネットワーク１４０を介してＵＥ  ＮとＵＥ１．．．Ｎとの間のパケット交換データ通信をブリッジするように機能することができる。また、ＲＡＮ１２０とは別個であるアクセスポイント１２５が図１に示されている。アクセスポイント１２５は、コアネットワーク１４０から独立して（たとえば、ＦｉＯＳなどの光通信システム、ケーブルモデムなどを介して）インターネット１７５に接続され得る。エアインターフェース１０８は、一例ではＩＥＥＥ８０２．１１など、ローカルワイヤレス接続を介してＵＥ４またはＵＥ５をサービスし得る。ＵＥ  Ｎは、モデムまたはルータへの直接接続など、インターネット１７５へのワイヤード接続をもつデスクトップコンピュータとして示されており、これは、（たとえば、ワイヤード接続性とワイヤレス接続性の両方をもつＷｉＦｉルータについて）それ自体がアクセスポイント１２５に対応することができる。
【００１３】
[0020]図１を参照すると、アプリケーションサーバ１７０が、インターネット１７５、コアネットワーク１４０、または両方に接続されるものとして示されている。アプリケーションサーバ１７０は、複数の構造的に別個のサーバとして実装され得るか、または代替的に単一のサーバに対応し得る。以下でより詳細に説明するように、アプリケーションサーバ１７０は、コアネットワーク１４０および／またはインターネット１７５を介してアプリケーションサーバ１７０に接続することができるＵＥのための１つまたは複数の通信サービス（たとえば、ボイスオーバーインターネットプロトコル（ＶｏＩＰ）セッション、プッシュツートーク（ＰＴＴ）セッション、グループ通信セッション、ソーシャルネットワーキングサービスなど）をサポートするように構成される。
【００１４】
[0021]図２に、本発明の実施形態による、ＵＥの例を示す。図２を参照すると、ＵＥ２００Ａが発呼電話として示されており、ＵＥ２００Ｂがタッチスクリーンデバイス（たとえば、スマートフォン、タブレットコンピュータなど）として示されている。図２に示されているように、ＵＥ２００Ａの外部ケーシングが、当技術分野で知られているように、構成要素の中でも、アンテナ２０５Ａと、ディスプレイ２１０Ａと、少なくとも１つのボタン２１５Ａ（たとえば、ＰＴＴボタン、電源ボタン、ボリューム制御ボタンなど）と、キーパッド２２０Ａとで構成される。また、ＵＥ２００Ｂの外部ケーシングが、当技術分野で知られているように、構成要素の中でも、タッチスクリーンディスプレイ２０５Ｂと、周辺のボタン２１０Ｂ、２１５Ｂ、２２０Ｂおよび２２５Ｂ（たとえば、電源制御ボタン、ボリュームまたは振動制御ボタン、飛行機モードトグルボタンなど）と、少なくとも１つのフロントパネルボタン２３０Ｂ（たとえば、ホームボタンなど）とで構成される。ＵＥ２００Ｂの一部として明示的に示されていないが、ＵＥ２００Ｂは、限定はしないが、ＷｉＦｉアンテナ、セルラーアンテナ、衛星位置システム（ＳＰＳ）アンテナ（たとえば、全地球測位システム（ＧＰＳ）アンテナ）などを含む、１つまたは複数の外部アンテナ、および／またはＵＥ２００Ｂの外部ケーシングに組み込まれた１つまたは複数の集積アンテナを含むことができる。
【００１５】
[0022]ＵＥ２００Ａおよび２００ＢなどのＵＥの内部構成要素は異なるハードウェア構成で実施され得るが、内部ハードウェア構成要素のための基本ハイレベルＵＥ構成が図２にプラットフォーム２０２として示されている。プラットフォーム２０２は、コアネットワーク１４０、インターネット１７５ならびに／または他のリモートサーバおよびネットワーク（たとえば、アプリケーションサーバ１７０、ウェブユニフォームリソースロケータ（ＵＲＬ）など）から最終的に来ることがある、ＲＡＮ１２０から送信されたソフトウェアアプリケーション、データおよび／またはコマンドを受信し、実行することができる。プラットフォーム２０２はまた、ＲＡＮ対話なしに、ローカルに記憶されたアプリケーションを独立して実行することができる。プラットフォーム２０２は、ＧＰＳ受信機２０４（または衛星ナビゲーションのための他の受信機）と、ＡＳＩＣ２０８、または他のプロセッサ、マイクロプロセッサ、論理回路、または他のデータ処理デバイスに動作可能に結合されたトランシーバ２０６とを含むことができる。ＡＳＩＣ２０８または他のプロセッサは、ワイヤレスデバイスのメモリ２１２中の任意の常駐プログラムとインターフェースするアプリケーションプログラミングインターフェース（ＡＰＩ）２１０レイヤを実行する。メモリ２１２は、読取り専用メモリ（ＲＯＭ）またはランダムアクセスメモリ（ＲＡＭ）、電気的消去可能プログラマブルＲＯＭ（ＥＥＰＲＯＭ（登録商標））、フラッシュカード、またはコンピュータプラットフォームに共通の任意のメモリから構成され得る。プラットフォーム２０２は、メモリ２１２中でアクティブに使用されないアプリケーション、ならびに他のデータを記憶することができる、ローカルデータベース２１４をも含むことができる。ローカルデータベース２１４は、一般にフラッシュメモリセルであるが、磁気媒体、ＥＥＰＲＯＭ、光媒体、テープ、ソフトまたはハードディスクなど、当技術分野で知られている任意の二次記憶デバイスであり得る。
【００１６】
[0023]ＵＥ２００Ａおよび２００Ｂは、ＧＰＳ、アシスト型ＧＰＳ（Ａ−ＧＰＳ：assisted GPS）、ＳＰＳ、ＧＬＯＮＡＳＳなど、当技術分野において知られている様々な衛星ベース測位システムを介してそれらの地理的位置を取得することができる。ＵＥ２００Ａおよび２００Ｂはまた、当技術分野で知られているように、ワイドエリアオーグメンテーションシステム（ＷＡＡＳ：wide area augmentation system）、差分全地球測位システム（ＤＧＰＳ：differential global positioning system）など、地上波無線周波数（ＲＦ）信号を用いた衛星ベース測位をオーグメント（augment）し得る。ＵＥ２００Ａおよび２００Ｂはまた、それの位置を判断またはオーグメントするために慣性ナビゲーションシステム（ＩＮＳ：inertial navigation system）を使用し得る。ＵＥ２００Ａおよび２００Ｂなど、それの地理的位置を判断することができるＵＥは、ロケーション対応ＵＥである。本開示では、「地理的ロケーション」と「地理的位置」という用語は互換的に使用される。
【００１７】
[0024]したがって、本発明の一実施形態は、本明細書で説明する機能を実施する能力を含むＵＥ（たとえば、ＵＥ２００Ａ、２００Ｂなど）を含むことができる。当業者によって諒解されるように、本明細書で開示する機能を達成するために、様々な論理要素は、個別要素、プロセッサ上で実行されるソフトウェアモジュール、またはソフトウェアとハードウェアとの任意の組合せで実施され得る。たとえば、ＡＳＩＣ２０８、メモリ２１２、ＡＰＩ２１０およびローカルデータベース２１４は、すべて、本明細書で開示する様々な機能をロードし、記憶し、実行するために、協働的に使用され得、したがって、これらの機能を実施するための論理は様々な要素に分散され得る。代替的に、機能は１つの個別構成要素に組み込まれ得る。したがって、図２におけるＵＥ２００Ａおよび２００Ｂの特徴は例示的なものにすぎないと見なされるべきであり、本発明は例示された特徴または構成に限定されない。
【００１８】
[0025]ＵＥ２００Ａおよび／または２００ＢとＲＡＮ１２０との間のワイヤレス通信は、ＣＤＭＡ、Ｗ−ＣＤＭＡ、時分割多元接続（ＴＤＭＡ）、周波数分割多元接続（ＦＤＭＡ）、直交周波数分割多重（ＯＦＤＭ）、ＧＳＭ、あるいはワイヤレス通信ネットワークまたはデータ通信ネットワークにおいて使用され得る他のプロトコルなど、様々な技術に基づき得る。上記で説明したように、および当技術分野で知られているように、ボイス送信および／またはデータは、様々なネットワークおよび構成を使用してＲＡＮからＵＥ２００Ａおよび２００Ｂに送信され得る。したがって、本明細書で提供する例示は、本発明の実施形態を限定するものではなく、本発明の実施形態の態様の説明を助けるものにすぎない。
【００１９】
[0026]図３に、機能を実施するように構成された論理を含む通信デバイス３００を示す。通信デバイス３００は、限定はしないが、ＵＥ２００Ａまたは２００Ｂを含む上述の通信デバイスのいずれか、ＲＡＮ１２０の任意の構成要素、コアネットワーク１４０の任意の構成要素、コアネットワーク１４０および／またはインターネット１７５に結合された任意の構成要素（たとえば、アプリケーションサーバ１７０）などに対応することができる。したがって、通信デバイス３００は、図１のワイヤレス通信システム１００を介して１つまたは複数の他のエンティティと通信する（またはそれらとの通信を容易にする）ように構成された任意の電子デバイスに対応することができる。
【００２０】
[0027]図３を参照すると、通信デバイス３００は、情報を受信および／または送信するように構成された論理３０５を含む。一例では、通信デバイス３００がワイヤレス通信デバイス（たとえば、ＵＥ２００Ａまたは２００Ｂなど）に対応する場合、情報を受信および／または送信するように構成された論理３０５は、ワイヤレストランシーバおよび関連するハードウェア（たとえば、無線周波数（ＲＦ）アンテナ、モデム、変調器および／または復調器など）などのワイヤレス通信インターフェース（たとえば、Ｂｌｕｅｔｏｏｔｈ（登録商標）、ＷｉＦｉ、２Ｇ、ＣＤＭＡ、Ｗ−ＣＤＭＡ、３Ｇ、４Ｇ、ＬＴＥなど）を含むことができる。別の例では、情報を受信および／または送信するように構成された論理３０５は、ワイヤード通信インターフェース（たとえば、シリアル接続、ユニバーサルシリアルバス（ＵＳＢ）またはファイアワイヤ接続、インターネット１７５がそれを通してアクセスされ得るイーサネット接続など）に対応することができる。したがって、通信デバイス３００が、何らかのタイプのネットワークベースのサーバ（たとえば、アプリケーションサーバ１７０）に対応する場合、情報を受信および／または送信するように構成された論理３０５は、一例では、イーサネットプロトコルによってネットワークベースのサーバを他の通信エンティティに接続するイーサネットカードに対応することができる。さらなる一例では、情報を受信および／または送信するように構成された論理３０５は、通信デバイス３００がそれのローカル環境をそれによって監視することができる知覚または測定ハードウェア（たとえば、加速度計、温度センサー、光センサー、ローカルＲＦ信号を監視するためのアンテナなど）を含むことができる。情報を受信および／または送信するように構成された論理３０５はまた、実行されたとき、情報を受信および／または送信するように構成された論理３０５の関連するハードウェアがそれの（１つまたは複数の）受信および／または送信機能を実施できるようにする、ソフトウェアを含むことができる。ただし、情報を受信および／または送信するように構成された論理３０５は、ソフトウェアのみに対応せず、情報を受信および／または送信するように構成された論理３０５は、それの機能を達成するために少なくとも部分的にハードウェアに依拠する。
【００２１】
[0028]図３を参照すると、通信デバイス３００は、情報を処理するように構成された論理３１０をさらに含む。一例では、情報を処理するように構成された論理３１０は、少なくともプロセッサを含むことができる。情報を処理するように構成された論理３１０によって実施され得るタイプの処理の例示的な実装形態は、限定はしないが、判断を行うこと、接続を確立すること、異なる情報オプション間で選択を行うこと、データに関係する評価を行うこと、測定演算を実施するために通信デバイス３００に結合されたセンサーと対話すること、情報をあるフォーマットから別のフォーマットに（たとえば、．ｗｍｖから．ａｖｉになど、異なるプロトコル間で）変換することなどを含む。たとえば、情報を処理するように構成された論理３１０中に含まれるプロセッサは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実施するように設計されたそれらの任意の組合せに対応することができる。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。情報を処理するように構成された論理３１０はまた、実行されたとき、情報を処理するように構成された論理３１０の関連するハードウェアがそれの（１つまたは複数の）処理機能を実施できるようにする、ソフトウェアを含むことができる。ただし、情報を処理するように構成された論理３１０は、ソフトウェアのみに対応せず、情報を処理するように構成された論理３１０は、それの機能を達成するために少なくとも部分的にハードウェアに依拠する。
【００２２】
[0029]図３を参照すると、通信デバイス３００は、情報を記憶するように構成された論理３１５をさらに含む。一例では、情報を記憶するように構成された論理３１５は、少なくとも非一時的メモリおよび関連するハードウェア（たとえば、メモリコントローラなど）を含むことができる。たとえば、情報を記憶するように構成された論理３１５中に含まれる非一時的メモリは、ＲＡＭメモリ、フラッシュメモリ、ＲＯＭメモリ、消去可能プログラマブルＲＯＭ（ＥＰＲＯＭ：erasable programmable ROM）メモリ、ＥＥＰＲＯＭメモリ、レジスタ、ハードディスク、リムーバブルディスク、ＣＤ−ＲＯＭ、または当技術分野で知られている任意の他の形態の記憶媒体に対応することができる。情報を記憶するように構成された論理３１５はまた、実行されたとき、情報を記憶するように構成された論理３１５の関連するハードウェアがそれの（１つまたは複数の）記憶機能を実施できるようにする、ソフトウェアを含むことができる。ただし、情報を記憶するように構成された論理３１５は、ソフトウェアのみに対応せず、情報を記憶するように構成された論理３１５は、それの機能を達成するために少なくとも部分的にハードウェアに依拠する。
【００２３】
[0030]図３を参照すると、通信デバイス３００は、随意に、情報を提示するように構成された論理３２０をさらに含む。一例では、情報を提示するように構成された論理３２０は、少なくとも出力デバイスおよび関連するハードウェアを含むことができる。たとえば、出力デバイスは、ビデオ出力デバイス（たとえば、ディスプレイスクリーン、ＵＳＢ、高解像度マルチメディアインターフェース（ＨＤＭＩ（登録商標）：high-definition multimedia interface）など、ビデオ情報を搬送することができるポートなど）、オーディオ出力デバイス（たとえば、スピーカー、マイクロフォンジャック、ＵＳＢ、ＨＤＭＩなど、オーディオ情報を搬送することができるポートなど）、振動デバイス、および／あるいは情報がそれによって出力のためにフォーマットされるか、または通信デバイス３００のユーザもしくはオペレータによって実際に出力され得る、任意の他のデバイスを含むことができる。たとえば、通信デバイス３００が、図２に示されているようなＵＥ２００ＡまたはＵＥ２００Ｂに対応する場合、情報を提示するように構成された論理３２０は、ＵＥ２００Ａのディスプレイ２１０ＡまたはＵＥ２００Ｂのタッチスクリーンディスプレイ２０５Ｂを含むことができる。さらなる一例では、情報を提示するように構成された論理３２０は、ローカルユーザを有しないネットワーク通信デバイス（たとえば、ネットワークスイッチまたはルータ、リモートサーバなど）など、いくつかの通信デバイスでは省略されることがある。情報を提示するように構成された論理３２０はまた、実行されたとき、情報を提示するように構成された論理３２０の関連するハードウェアがそれの（１つまたは複数の）提示機能を実施できるようにする、ソフトウェアを含むことができる。ただし、情報を提示するように構成された論理３２０は、ソフトウェアのみに対応せず、情報を提示するように構成された論理３２０は、それの機能を達成するために少なくとも部分的にハードウェアに依拠する。
【００２４】
[0031]図３を参照すると、通信デバイス３００は、随意に、ローカルユーザ入力を受信するように構成された論理３２５をさらに含む。一例では、ローカルユーザ入力を受信するように構成された論理３２５は、少なくともユーザ入力デバイスおよび関連するハードウェアを含むことができる。たとえば、ユーザ入力デバイスは、ボタン、タッチスクリーンディスプレイ、キーボード、カメラ、オーディオ入力デバイス（たとえば、マイクロフォン、またはマイクロフォンジャックなど、オーディオ情報を搬送することができるポートなど）、および／または情報がそれによって通信デバイス３００のユーザもしくはオペレータから受信され得る任意の他のデバイスを含むことができる。たとえば、通信デバイス３００が、図２に示されているようなＵＥ２００ＡまたはＵＥ２００Ｂに対応する場合、ローカルユーザ入力を受信するように構成された論理３２５は、キーパッド２２０Ａ、ボタン２１５Ａまたは２１０Ｂ〜２２５Ｂのいずれか、タッチスクリーンディスプレイ２０５Ｂなどを含むことができる。さらなる一例では、ローカルユーザ入力を受信するように構成された論理３２５は、ローカルユーザを有しないネットワーク通信デバイス（たとえば、ネットワークスイッチまたはルータ、リモートサーバなど）など、いくつかの通信デバイスでは省略されることがある。ローカルユーザ入力を受信するように構成された論理３２５はまた、実行されたとき、ローカルユーザ入力を受信するように構成された論理３２５の関連するハードウェアがそれの（１つまたは複数の）入力受信機能を実施できるようにする、ソフトウェアを含むことができる。ただし、ローカルユーザ入力を受信するように構成された論理３２５は、ソフトウェアのみに対応せず、ローカルユーザ入力を受信するように構成された論理３２５は、それの機能を達成するために少なくとも部分的にハードウェアに依拠する。
【００２５】
[0032]図３を参照すると、３０５〜３２５の構成された論理は、図３では別個のまたは異なるブロックとして示されているが、それぞれの構成された論理がそれの機能をそれによって実施する、ハードウェアおよび／またはソフトウェアは、部分的に重複することがあることを諒解されよう。たとえば、３０５〜３２５の構成された論理の機能を可能にするために使用される任意のソフトウェアは、情報を記憶するように構成された論理３１５に関連する非一時的メモリに記憶され得、それにより、３０５〜３２５の構成された論理はそれぞれ、情報を記憶するように構成された論理３１５によって記憶されたソフトウェアの動作に部分的に基づいてそれらの機能（すなわち、この場合はソフトウェア実行）を実施する。同様に、構成された論理のうちの１つに直接関連するハードウェアを時々、他の構成された論理が借りること、または使用することができる。たとえば、情報を処理するように構成された論理３１０のプロセッサはデータを、情報を受信および／または送信するように構成された論理３０５によって送信される前に、適切なフォーマットにフォーマットすることができ、それにより、情報を受信および／または送信するように構成された論理３０５は、情報を処理するように構成された論理３１０に関連するハードウェア（すなわち、プロセッサ）の動作に部分的に基づいてそれの機能（すなわち、この場合はデータの送信）を実施する。
【００２６】
[0033]概して、明示的に別段に記載されていない限り、本開示全体にわたって使用する「ように構成された論理」という句は、少なくとも部分的にハードウェアを用いて実装される実施形態を実施するものであり、ハードウェアから独立しているソフトウェア専用実装形態にマッピングするものではない。また、様々なブロックにおける構成された論理または「ように構成された論理」は、特定の論理ゲートまたは要素に限定されず、概して、（ハードウェアまたはハードウェアとソフトウェアの組合せのいずれかを介して）本明細書で説明する機能を実施する能力を指すことを諒解されよう。したがって、様々なブロックに示されているように構成された論理または「ように構成された論理」は、「論理」という単語を共有するにもかかわらず、必ずしも論理ゲートまたは論理要素として実装されるとは限らない。様々なブロック中の論理間の他の対話または協働が、以下でより詳細に説明する実施形態の検討から当業者に明らかになろう。
【００２７】
[0034]セルフォンユーザがジオフェンスの境界に近く、ジオフェンスがユーザに関連するとき、ユーザは、ジオフェンスをセルフォン（またはそれの地理的位置を判断することが可能な他のモバイルデバイス、すなわち、ロケーション対応モバイルデバイス）上にロードすることを望み得る。一般に、セルフォンは、ジオフェンスをダウンロードするためにネットワーク接続を確立しなければならない。しかしながら、セルフォンは、ネットワーク接続を確立することが可能でないことがあるか、またはユーザは、ネットワーク接続を確立することを望まないことがある。さらに、ユーザは、そのロケーションについてジオフェンスが利用可能であることに気づいていないことがある。
【００２８】
[0035]したがって、ユーザが、ジオフェンスエリアの近くで、ジオフェンスが利用可能であることを示したサインを提示され、ネットワーク接続を必要とすることなしにジオフェンスパラメータを取得する方法を与えられれば有益であろう。
【００２９】
[0036]様々な実施形態は、クイックレスポンス（ＱＲ）コード、無線周波数識別（ＲＦＩＤ：radio-frequency identification）タグ、ニアフィールド通信（ＮＦＣ：near field communication）送信機、または他の同様の記憶媒体など、ジオフェンスのパラメータを記憶するマトリックスバーコードを提供する。そのような記憶媒体は、メディアを読み取るかまたはジオフェンスパラメータを取得するためにネットワークに接続するようにＵＥに要求しない。媒体は、ジオフェンスを表し、サインポスター（sign-poster）によって望まれる他の情報を含むことができる、サインに固定されるか、またはそれの上に印刷され得る。１つまたは複数のそのようなサインは、ジオフェンスへの（１つまたは複数の）入口においてもしくはその近くで、またはジオフェンスの境界においてもしくはその近くで、および／あるいはジオフェンス内の様々なロケーションに配置され得る。
【００３０】
[0037]ジオフェンスのパラメータは、ジオフェンスの境界だけでなく、入る違反（entering breach）、出る違反（exiting breach）、指定された時間よりも長く境界内に残ることについての警報、指定された時間よりも長く境界を離れることについての警報、日／週／月／年の間違った時間において境界に入ることまたは出ることについての警報など、ジオフェンスに関連する１つまたは複数の警報条件も含むことができる。
【００３１】
[0038]様々な実施形態は、いくつかの異なるタイプの状況では有益であり得る。たとえば、記憶媒体は、大邸宅、宮殿または城の公園用地、限られたパブリックアクセスをもつ民営地などの私有地、あるいは博物館、病院または官庁など、いくつかのエリアへの限られたアクセスをもつ公共建物への（１つまたは複数の）入口に配置されたサインに固定され得る。ジオフェンスは、極めて複雑であり、アクセスが許可されないプライベートエリアによって囲まれた、経路、廊下、空間、フィールド、および／またはアクセスが許可された他のエリアを区画し得る。ジオフェンスは、訪問者が公共エリアを出、制限付きアクセスエリアに入り、したがって、不法侵入を犯した場合、警報をトリガするために使用され得る。
【００３２】
[0039]別の例として、ユーザは、その人の車が許可なしに駐車場から移動させられたかどうかを知ることを望み得るが、洗車または掃除などのために、車がロット内で動かされたかどうかを気にしないことがある。記憶媒体は、駐車場への入口にあるサインに固定され得、ユーザは、車中に残されるであろうＧＰＳ受信機などの測位デバイスを用いてそれを走査することができる。ユーザは、駐車場案内係から受信機を取得するか、またはサードパーティからそれを購入することができる。受信機は、ビークルの位置を追跡し、車がロットから移動させられた場合、ユーザのセルフォンに警報を送ることになる。
【００３３】
[0040]同様に、測位デバイスは出荷ケースまたは他のコンテナに取り付けられ得、コンテナが倉庫（または店舗／流通センター／工事現場／など）に入れられた際に、測位デバイスは、倉庫のジオフェンスを取得するために記憶媒体を走査することになる。このプロセスは、コンテナを動かすロボットクレーンによって完全に自動化され、実行され得る。
【００３４】
[0041]また別の例では、ペイントボールなどのゲームにおけるプレーヤは、ゲーム境界のジオフェンスをロードされた測位デバイスを着用し得る。測位デバイスは、プレーヤが境界を突破した場合、プレーヤだけ、ゲームレフェリーだけ、またはその両方に警報を出し得る。さらに、各チームは、それら自体のジオフェンス境界を有することができ、境界は、ゲームをしている間に変化することができる。たとえば、プレーヤがゲームフィールド上のあるポイントに到達した場合、その人は、異なるジオフェンスをロードするために別の記憶媒体を走査することが可能であり得る。
【００３５】
[0042]別の例として、記憶媒体は、店舗への（１つまたは複数の）入口に配置されたサインに固定され得る。店舗に入ると、買い物客は、店舗への入口および出口の近くの境界を含むことになるジオフェンスを取得するために記憶媒体を走査することができる。買い物客が境界を横断したとき、その人は、その人がレジにおいて商品を清算することなしにショッピングフロアを不用意に離れていないことを確認するためのリマインダを受信し、このようにして、意図しない万引きを防ぐことになる。
【００３６】
[0043]また別の例として、遊園地は、遊園地のエリアごとに異なるチケット価格を与え得る。遊園地に入ると、訪問者は、記憶媒体を走査し、訪問者のチケットがアクセスを与える遊園地の境界を定義するジオフェンスを取得することができる。ジオフェンスパラメータはまた、訪問者のチケットが有効である時間期間を定義し、訪問者が代金を払った時間よりも長く訪問者がエリア中に残っている場合、訪問者または遊園地事業者に警報を出し得る。時間期間は、特定の時間数、特定の日数、特定の週数など、または１日のある時間帯、週のある時間帯、月のある時間帯などであり得る。
【００３７】
[0044]様々な実施形態はまた、システムを欺くために、それら自体のＱＲコード（またはＲＦＩＤタグまたはＮＦＣ送信機）をユーザが製作および走査することができないように、暗号化を提供する。遊園地の例では、たとえば、暗号化は、訪問者が公園に入るために安価なチケットを購入することを防ぎ、次いで、遊園地の、その人が支払ったものよりも多くのものへの訪問者アクセスを与えることになる偽ＱＲコードを走査することを防ぐことになる。同様に、駐車場の例では、暗号化は、自動車窃盗犯が車に押し入り、前に記憶されたジオフェンスパラメータを変更する（たとえば、警報パラメータを削除する、地理的エリアを変更するなど）ことになる偽ＱＲコードを走査することを防ぐことになる。
【００３８】
[0045]上記のことは、様々な実施形態が有益であり得る状況の例にすぎない。様々な実施形態が有益になる多くの他の状況があり、したがって、本開示は与えられた例に限定されないことは明らかである。
【００３９】
[0046]上記で説明したように、様々な実施形態は、マトリックスバーコードを使用する光学式走査、ＲＦＩＤタグを使用するワイヤレスリーディング、またはＮＦＣ送信機を使用するワイヤレスリーディングのためのジオフェンス記述データを提示する。実際には、ＲＦＩＤタグとＮＦＣ送信機は極めて類似している。差異は、ＮＦＣ送信機が双方向通信を可能にすることである。これは、ユーザが、どのジオフェンスを選択すべきか、またはどの警報方法を使用すべきかを選定することなどの情報についてプロンプトされ、それに応じて、同じ送信機から関連するデータを受信することを可能にする。対照的に、ＲＦＩＤタグを用いた通信は一方向である。したがって、ユーザにオプションを提示するために、ユーザには複数のＲＦＩＤタグが提示されなければならず、正しいものを選択することはユーザ次第になる。
【００４０】
[0047]すべての３つのシステムは、それらが電源に動作するように要求しないという利点を有する。詳細には、マトリックスバーコードは紙の上のインクであり、ＲＦＩＤタグとＮＦＣ送信機は、それらを走査するデバイスから電波によって電力供給される。概して、マトリックスバーコードに関して例示的な実施形態について説明したが、ＲＦＩＤタグとＮＦＣ送信機の実施形態は、データ配信方法が異なる（すなわち、光の代わりに電波である）ことを除いて同じである。
【００４１】
[0048]ジオフェンスはマップ上で追跡され、その座標は、マトリックスバーコードを生成するために使用されるテキストストリングに符号化されるか、あるいはＲＦＩＤタグまたはＮＦＣ送信機においてデータパケットとして与えられ得る。座標は、以下のような様々な方法のうちの１つまたは複数で符号化され得る。
【００４２】
１．円を定義する、経度、緯度をもつ中心点、および半径。
【００４３】
２．矩形を定義する左上および右下の緯度および経度座標、ならびに矩形の配向を指定する角度。
【００４４】
３．凸多角形の頂点を定義するｘ−ｙ緯度および経度座標のセット。
【００４５】
４．緯度および経度によって与えられる基準点、ならびに（座標のデータサイズを低減する）基準点に対して定義される残りの点。
【００４６】
５．合計されたとき、凸であることもないこともあり、重複または接触することもしないこともある１つまたは複数の複雑な多角形形状を与える、（４）の場合のように定義される凸多角形の集合またはセット。
【００４７】
６．頂点ポイントと、頂点の各ペア間の曲線を定義する関数との集合またはセット。
【００４８】
[0049]図４に、一実施形態による、例示的なＱＲコード４００を示す。ＱＲコード４００は以下のテキストストリングを符号化する。
【００４９】
ＧＥＯＦ：Ｃ（６１．４４７０９１，２３．８５８２９２，１２０）；警報（入る，出る）
このテキストストリングは、ジオフェンスパケットであり、北緯６１．４４７０９１、東経２３．８５８２９２を中心とし半径１２０メートルを有する（「Ｃ」によって示される）円形ジオフェンスと、デバイスがジオフェンス外周に入るかまたは存在する場合について設定された警報とを定義する。
【００５０】
[0050]図５に、一実施形態による、例示的なＱＲコード５００を示す。ＱＲコード５００は以下のテキストストリングを符号化する。
【００５１】
ＧＥＯＦ：Ｐ（６１．４４７０２２，２３．８５６７１５；６１．４４５０５２，２３．８５８０８０；６１．４４６６８１，２３．８６６２５３；６１．４４８７８９，２３．８６５０４６；６１．４４８８１３，２３．８６０４７１）；警報（内：１０８００，外：２８０）
このテキストストリング／ジオフェンスパケットは、５つの頂点をもつ（「Ｐ」によって示される）多角形ジオフェンスと、デバイスが１０８００秒以上の間ジオフェンス外周内に残った場合、またはデバイスが２８０秒以上の間ジオフェンス外にある場合について設定された警報とを定義する。
【００５２】
[0051]図６に、一実施形態による、例示的なＱＲコード６００を示す。ＱＲコード６００は以下のテキストストリングを符号化する。
【００５３】
ＧＥＯＦ：Ｐ（６１．４４７０２２，２３．８５６７１５；６１．４４５０５２，２３．８５８０８０；６１．４４６６８１，２３．８６６２５３；６１．４４８７８９，２３．８６５０４６；６１．４４８８１３，２３．８６０４７１）；Ｐ（６１．４４７６２０，２３．８５９８０５；６１．４４８５８６，２３．８５７４７７；６１．４４６８２９，２３．８５６４９１）；警報（出る）
このテキストストリング／ジオフェンスパケットは、２つの多角形と、デバイスがジオフェンス外周を出た場合について設定された警報とを定義する。
【００５４】
[0052]図７に、一実施形態の例示的なフローを示す。７１０において、ユーザは、コンピュータ支援設計（ＣＡＤ：computer-aided design）アプリケーションを使用して、所与のエリアのジオフェンスを生成する。ユーザは、ジオフェンスの外周を定義するために、所与のエリアのマップ上でジオフェンスの境界を追跡し得る。代替または追加として、ユーザは、マップ上にいくつかの点をマークし、線、円、矩形、または多角形など、それらの点において定義されるか、それらの点によって定義される形状を選択し得る。ユーザはまた、警報など、ジオフェンスの他のパラメータを定義する。
【００５５】
[0053]７２０において、アプリケーションは、ジオフェンスパラメータをマトリックスバーコード、ここではＱＲコードに変換する。図７は、ＱＲコードとして符号化されたジオフェンスパラメータを示しているが、アプリケーションは、代わりにまたは追加として、ジオフェンスパラメータを任意のマトリックスバーコード、あるいはＲＦＩＤタグまたはＮＦＣ送信機のためのデータパケットに変換することができる。そのようなデータパケットは、次いで、ＲＦＩＤタグまたはＮＦＣ送信機上にロードされ得る。
【００５６】
[0054]７３０において、ユーザは、１つまたは複数のサイン上にＱＲコードを印刷する。代替的に、ユーザはＱＲコードをステッカーとして印刷し、それを（１つまたは複数の）サインに固定することができる。ジオフェンスパラメータがＲＦＩＤタグまたはＮＦＣ送信機中で符号化された場合、ＲＦＩＤタグまたはＮＦＣ送信機は接着剤によって（１つまたは複数の）サインに付着され得る。
【００５７】
[0055]７４０において、ユーザは、ジオフェンスの境界の近くの１つまたは複数のロケーションにおいて（１つまたは複数の）サインをポスティングする。たとえば、ユーザは、（１つまたは複数の）入口、（１つまたは複数の）出口、および／または立入禁止のエリアにおいてサインを配置し得る。
【００５８】
[0056]７５０において、訪問者は、ジオフェンスパラメータを取得するために、その人のＵＥを用いてＱＲコード（またはＲＦＩＤタグまたはＮＦＣ送信機）を走査する。ＵＥは、走査されたジオフェンスパラメータを、ＵＥがそれの現在位置と比較することができるフォーマットに変換する。ＵＥは、ＧＰＳ、Ａ−ＧＰＳ、ＳＰＳ、ＧＬＯＮＡＳＳなど、当技術分野において知られている任意のＵＥ測位システムを介してそれの位置を取得し得る。ＵＥはまた、当技術分野で知られているように、ＷＡＡＳ、ＤＧＰＳなど、地上波ＲＦ信号を用いた衛星ベース測位をオーグメントし得る。ＵＥは、周期的にそれの位置をジオフェンス境界と比較し始める。
【００５９】
[0057]７６０において、ＵＥは、それがジオフェンスパラメータ中で取得された（１つまたは複数の）警報条件を満たしたことを検出する。図７の例では、ジオフェンスパラメータは、出る警報を含み、ＵＥは、ジオフェンス境界を離れることによって、警報条件を満たしている。ＵＥは警報を発し、警報は、ＵＥのＵＩ上でユーザに表示され、および／またはジオフェンスエリアのためのセキュリティ管理者などのサードパーティに送信され得る。
【００６０】
[0058]ジオフェンスパラメータがＵＥから除去され得るいくつかの方法がある。ユーザは、ＵＩを介してＵＥからジオフェンスを削除し得るか、またはユーザは、ジオフェンスエリアの出口の近くで、ＵＥにジオフェンスパラメータを削除するように命令する別のＱＲコード（またはＲＦＩＤタグまたはＮＦＣ送信機）を走査し得る。代替的に、ジオフェンスパラメータは、ある時間期間後に満了し得るか、またはＵＥは、ＵＥがジオフェンスからしきい値距離だけ離れると、ジオフェンスパラメータを自動的に削除し得る。代替的に、サードパーティは、ジオフェンスパラメータを削除することをＵＥにシグナリングし得る。
【００６１】
[0059]図８に、一実施形態の例示的なフローを示す。８１０において、アプリケーションは、ユーザから受信された情報に基づいてジオフェンスパラメータを生成する。情報は、所与のエリアのマップ上のフリーハンドトレーシングの座標、および／あるいはマップ上の１つまたは複数の点と、線、円、矩形、または多角形など、それらの点において、またはそれらの点によって定義される形状との座標を含み得る。情報は、警報条件など、ジオフェンスの他のパラメータを含み得る。
【００６２】
[0060]８２０において、アプリケーションは、ジオフェンスパラメータをマトリックスバーコード、ＲＦＩＤデータパケット、ＮＦＣデータパケット、および／または他の同様のストレージメディアデータパケットに変換する。８３０において、アプリケーションは、マトリックスバーコードを印刷し、ならびに／あるいはデータパケットをＲＦＩＤタグおよび／またはＮＦＣ送信機上に符号化する。代替的に、アプリケーションは、マトリックスバーコードを印刷し、ならびに／あるいはＲＦＩＤタグおよび／またはＮＦＣ送信機上にデータパケットを符号化するために、マトリックスバーコードおよび／またはデータパケットを別のデバイスに送信し得る。
【００６３】
[0061]８４０において、ロケーション対応ワイヤレスモバイルデバイスは、ジオフェンスパラメータを取得するために、マトリックスバーコード、ＲＦＩＤタグ、またはＮＦＣ送信機を走査する。ワイヤレスモバイルデバイスは、走査されたジオフェンスパラメータを、ワイヤレスモバイルデバイスがそれの現在状態に関する情報と比較することができるフォーマットに変換する。ワイヤレスモバイルデバイスは、セルフォン、タブレットコンピュータ、ＰＤＡ、または他のロケーション対応パーソナルワイヤレスモバイルデバイスであり得る。代替的に、ワイヤレスモバイルデバイスは、ジオフェンスエリア内でそのユーザの移動を追跡するという特定の目的のために、サードパーティによってユーザに与えられたロケーション対応デバイスであり得る。サードパーティは、ジオフェンスエリアに直接関係のないベンダーであり得、ワイヤレスモバイルデバイスは、複数の異なるジオフェンスエリアのために使用されるものであるオフザシェルフ製品（off-the-shelf product）であり得る。代替的に、ジオフェンスエリアの事業者は各訪問者にワイヤレスモバイルデバイスを与え得、訪問者またはローカル職員は、訪問者のチケットおよび／または購入オプションに基づいて適切なジオフェンス記憶媒体を走査することができる。
【００６４】
[0062]８５０において、ワイヤレスモバイルデバイスは、それの現在状態を判断する。ワイヤレスモバイルデバイスの状態は、それの現在ロケーション、それがジオフェンス境界に入ったかまたは出てから経過した時間の量、現在時間、日、月、および／または年などを含むことができる。ジオフェンスパラメータがジオフェンス境界内での、またはジオフェンス境界外で許可された時間の量を含む場合、ワイヤレスモバイルデバイスは、それがカウンタをもつジオフェンス境界に入ったかまたは出てから経過した時間の量を追跡し得る。ワイヤレスモバイルデバイスは、カウンタを０から増分するか、またはジオフェンスパラメータによって指定された時間の量からカウンタを減分することができる。
【００６５】
[0063]８６０において、ワイヤレスモバイルデバイスは、それの現在状態をジオフェンスパラメータと比較する。たとえば、ワイヤレスモバイルデバイスは、それの現在ロケーションをジオフェンス境界と比較すること、境界内または境界外で許可された時間の長さを、それが境界内または境界外にあった時間の長さと比較すること、日／週／月／年の時間を、境界が執行されるべき日／週／月／年の時間と比較することなどを行う。たとえば、ユーザがジオフェンス境界内にあることを許可される時間の長さをジオフェンスパラメータが含む場合、ワイヤレスモバイルデバイスは、増分するカウンタの値を、ジオフェンスパラメータ中で与えられる時間と比較することになる。
【００６６】
[0064]８７０において、ワイヤレスモバイルデバイスは、それの現在状態がジオフェンスパラメータに違反するかどうかを判断する。それの位置を判断する際に、ワイヤレスモバイルデバイスは、場合によっては、それの位置の精度を検査することができる。精度がしきい値を上回る場合、ワイヤレスモバイルデバイスは、それの現在状態がジオフェンスパラメータに違反するかどうかを判断するために、そのロケーション値を使用する。それの位置の精度がしきい値を下回る場合、ワイヤレスモバイルデバイスは、たとえば、当技術分野で知られているように、地上波ＲＦ信号および／またはＩＮＳを用いてＧＰＳ信号をオーグメントすることによってより正確な位置を取得することを試みる。ワイヤレスモバイルデバイスが、より正確な位置を取得することができない場合、それは、より低い精度位置を続ける。
【００６７】
[0065]ワイヤレスモバイルデバイスの現在状態がジオフェンスパラメータに違反しない場合、フローは８５０に戻る。しかしながら、ワイヤレスモバイルデバイスの現在状態がジオフェンスパラメータに違反した場合、フローは８８０に進む。たとえば、ワイヤレスモバイルデバイスの現在ロケーションがジオフェンス境界内であるが、ジオフェンス外周内で許可される時間の量を追跡するカウンタが満了した（すなわち、０であるか、または許容時間より大きい）場合、ワイヤレスモバイルデバイスは、それがジオフェンスパラメータに違反したと判断する。
【００６８】
[0066]８８０において、ワイヤレスモバイルデバイスは警報を発する。警報のタイプは、ジオフェンスパラメータにおいて定義されるか、またはワイヤレスモバイルデバイス上にインストールされたアプリケーションによって定義され得る。警報は、ローカルにおよび／またはリモートで表示および／または再生され得る。ローカル警報は、可聴、視覚、および／または触覚警報であり得る。たとえば、ワイヤレスモバイルデバイスは、ユーザがジオフェンス外周外にいるか、または外周内に長くとどまりすぎているというメッセージを表示し得る。メッセージは、メッセージへのユーザの注意を引くために、音および／または振動を伴い得る。
【００６９】
[0067]リモート警報は、リモートデバイスに送信され、その上に表示されるテキストメッセージ、電子メール、ポップアップウィンドウ、可聴、視覚、または触覚警報などであり得る。たとえば、ジオフェンスエリアのためのセキュリティ管理者などのリモート当事者が、ジオフェンスパラメータをロードされたワイヤレスモバイルデバイスを持ち歩いているユーザを監視している場合、ワイヤレスモバイルデバイスはリモートデバイスに警報を送ることができる。警報は、違反のタイプ（たとえば進入、退出、内側時間満了、外側時間満了）、違反のロケーション、違反の時間、（外周が再び入られたかまたは出られた場合、内側外側警報のための）違反の長さ、違反ユーザおよび／または違反デバイスの識別情報などを含むことができる。
【００７０】
[0068]ワイヤレスモバイルデバイスが警報を発した後、フローは８５０に戻って、ユーザが違反を解決したかどうかを判断し、および／または違反のさらなる統計値を追跡する。
【００７１】
[0069]情報および信号は、多種多様な技術および技法のいずれかを使用して表され得ることを当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７２】
[0070]さらに、本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本発明の範囲からの逸脱を生じるものと解釈されるべきではない。
【００７３】
[0071]本明細書で開示する実施形態に関して説明した様々な例示的な論理ブロック、モジュール、および回路は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７４】
[0072]本明細書で開示する実施形態に関して説明する方法、シーケンスおよび／またはアルゴリズムは、ハードウェアで直接実装されるか、プロセッサによって実行されるソフトウェアモジュールで実装されるか、またはそれらの２つの組合せで実装され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末（たとえば、ＵＥ）中に常駐し得る。代替として、プロセッサおよび記憶媒体は、ユーザ端末中に個別構成要素として常駐し得る。
【００７５】
[0073]１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００７６】
[0074]上記の開示は本発明の例示的な実施形態を示しているが、添付の特許請求の範囲によって規定される本発明の範囲から逸脱することなく、本明細書において様々な変更および修正が行われ得ることに留意されたい。本明細書で説明した本発明の実施形態による方法クレームの機能、ステップおよび／またはアクションは、特定の順序で実施されなくてもよい。さらに、本発明の要素は、単数形で説明または請求されていることがあるが、単数形に限定することが明示的に述べられていない限り、複数形が企図される。
【図１】
2016506637.tif 000003
【図２】
2016506637.tif 000004
【図３】
2016506637.tif 000005
【図４】
2016506637.tif 000006
【図５】
2016506637.tif 000007
【図６】
2016506637.tif 000008
【図７】
2016506637.tif 000009
【図８】
2016506637.tif 000010
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
ネットワークダウンロードなしにジオフェンスを与えるための方法であって、
ジオフェンスパラメータを生成することと、
マトリックスバーコードを備えるポータブル記憶メディア上で前記ジオフェンスパラメータを符号化することと
を備え、
ここにおいて、前記ジオフェンスパラメータは、前記ネットワークダウンロードなしにロケーション対応モバイルデバイスに転送されることができる、方法。
【請求項２】
前記マトリックスバーコードは、電力を消費しない受動デバイス上に存在する、請求項１に記載の方法。
【請求項３】
前記ジオフェンスパラメータが前記ジオフェンスの外周を備える、請求項１に記載の方法。
【請求項４】
前記ジオフェンスパラメータが１つまたは複数の警報条件を備える、請求項１に記載の方法。
【請求項５】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項４に記載の方法。
【請求項６】
前記ロケーション対応モバイルデバイスは、前記１つまたは複数の警報条件が満たされていることに基づいて警報を発する、請求項４に記載の方法。
【請求項７】
前記ロケーション対応モバイルデバイスが前記ロケーション対応モバイルデバイスのユーザに前記警報を発する、請求項６に記載の方法。
【請求項８】
前記ロケーション対応モバイルデバイスが、前記ジオフェンスを監視するサードパーティに警報を発する、請求項６に記載の方法。
【請求項９】
前記ポータブル記憶メディアが、前記ジオフェンスによって制限されたエリアに隣接して配置される、請求項１に記載の方法。
【請求項１０】
前記ロケーション対応モバイルデバイスが、セルフォン、タブレットコンピュータ、または携帯情報端末のうちの１つである、請求項１に記載の方法。
【請求項１１】
前記ロケーション対応モバイルデバイスのユーザがサードパーティベンダーから前記ロケーション対応モバイルデバイスを取得する、請求項１に記載の方法。
【請求項１２】
前記ロケーション対応モバイルデバイスが、前記ジオフェンスに関連付けられた人員によってユーザに与えられる、請求項１に記載の方法。
【請求項１３】
ネットワークダウンロードなしにジオフェンスを取得するための方法であって、
ロケーション対応モバイルデバイスによってマトリックスバーコードを読み取ることと、
前記ネットワークダウンロードなしに前記マトリックスバーコードに基づいてジオフェンスパラメータを取得することと、
を備える、方法。
【請求項１４】
前記マトリックスバーコードは、電力を消費しない受動デバイス上に表示される、請求項１３に記載の方法。
【請求項１５】
前記ジオフェンスパラメータが前記ジオフェンスの外周を備える、請求項１３に記載の方法。
【請求項１６】
前記ジオフェンスパラメータが１つまたは複数の警報条件を備える、請求項１３に記載の方法。
【請求項１７】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項１６に記載の方法。
【請求項１８】
前記１つまたは複数の警報条件が満たされていることに基づいて警報を発すること
をさらに備える、請求項１６に記載の方法。
【請求項１９】
前記発することが、前記ロケーション対応モバイルデバイスのユーザに前記警報を発することを備える、請求項１８に記載の方法。
【請求項２０】
前記発することが、前記ジオフェンスを監視するサードパーティに前記警報を発することを備える、請求項１８に記載の方法。
【請求項２１】
前記ポータブル記憶メディアが、前記ジオフェンスによって制限されたエリアに隣接して配置される、請求項１３に記載の方法。
【請求項２２】
前記ロケーション対応モバイルデバイスが、セルフォン、タブレットコンピュータ、または携帯情報端末のうちの１つである、請求項１３に記載の方法。
【請求項２３】
前記ロケーション対応モバイルデバイスのユーザがサードパーティベンダーから前記ロケーション対応モバイルデバイスを取得する、請求項１３に記載の方法。
【請求項２４】
前記ロケーション対応モバイルデバイスが、前記ジオフェンスに関連付けられた人員によってユーザに与えられる、請求項１３に記載の方法。
【請求項２５】
前記ロケーションイネーブルモバイルデバイスは、それの地理的位置を取得することが可能なモバイルデバイスである、請求項１３に記載の方法。
【請求項２６】
全地球測位システム（ＧＰＳ）受信機を使用して前記ロケーション対応モバイルデバイスの地理的位置を判断すること
をさらに備える、請求項２５に記載の方法。
【請求項２７】
前記地理的位置の精度がしきい値よりも小さいことに基づいて、前記地理的位置をオーグメントすることを試みること
をさらに備える、請求項２６に記載の方法。
【請求項２８】
非一時的ポータブル記憶メディアであって、
ジオフェンスパラメータを符号化するマトリックスバーコード
を備え、前記ジオフェンスパラメータは、
ジオフェンスの外周と、
前記ジオフェンスの前記外周に関連付けられた１つまたは複数の警報条件と
を含み、
ここにおいて、前記ジオフェンスパラメータは、ネットワークダウンロードなしにロケーション対応モバイルデバイスに転送されることができる、非一時的ポータブル記憶メディア。
【請求項２９】
前記非一時的ポータブル記憶メディアが、電力を消費しない受動デバイスである、請求項２８に記載の非一時的ポータブル記憶メディア。
【請求項３０】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項２８に記載の非一時的ポータブル記憶メディア。
【請求項３１】
ネットワークダウンロードなしにジオフェンスを与えるための装置であって、
少なくとも１つのプロセッサと、
命令を記憶するメモリと
を備え、前記命令は、前記少なくとも１つのプロセッサによって実行されたとき、前記装置に、
ジオフェンスパラメータを生成することと、
マトリックスバーコードを備えるポータブル記憶メディア上で前記ジオフェンスパラメータを符号化することと
を備える動作を実行させ、
ここにおいて、前記ジオフェンスパラメータは、前記ネットワークダウンロードなしにロケーション対応モバイルデバイスに転送されることができる、装置。
【請求項３２】
前記マトリックスバーコードは、電力を消費しない受動デバイス上に存在する、請求項３１に記載の装置。
【請求項３３】
前記ジオフェンスパラメータが前記ジオフェンスの外周を備える、請求項３１に記載の装置。
【請求項３４】
前記ジオフェンスパラメータが１つまたは複数の警報条件を備える、請求項３３に記載の装置。
【請求項３５】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項３４に記載の装置。
【請求項３６】
前記ロケーション対応モバイルデバイスは、前記１つまたは複数の警報条件が満たされていることに基づいて警報を発する、請求項３４に記載の装置。
【請求項３７】
前記ロケーション対応モバイルデバイスが前記ロケーション対応モバイルデバイスのユーザに前記警報を発する、請求項３６に記載の装置。
【請求項３８】
前記ロケーション対応モバイルデバイスが、前記ジオフェンスを監視するサードパーティに警報を発する、請求項３６に記載の装置。
【請求項３９】
前記ポータブル記憶メディアが、前記ジオフェンスによって制限されたエリアに隣接して配置される、請求項３１に記載の装置。
【請求項４０】
前記ロケーション対応モバイルデバイスが、セルフォン、タブレットコンピュータ、または携帯情報端末のうちの１つである、請求項３１に記載の装置。
【請求項４１】
前記ロケーション対応モバイルデバイスのユーザがサードパーティベンダーから前記ロケーション対応モバイルデバイスを取得する、請求項３１に記載の装置。
【請求項４２】
前記ロケーション対応モバイルデバイスが、前記ジオフェンスに関連付けられた人員によってユーザに与えられる、請求項３１に記載の装置。
【請求項４３】
ネットワークダウンロードなしにジオフェンスを取得するための装置であって、
少なくとも１つのプロセッサと、
命令を記憶するメモリと
を備え、前記命令は、前記少なくとも１つのプロセッサによって実行されたとき、前記装置に、
ロケーション対応モバイルデバイスによってマトリックスバーコードを読み取ることと、
前記ネットワークダウンロードなしに前記マトリックスバーコードに基づいてジオフェンスパラメータを取得することと
を備える動作を実行させる、装置。
【請求項４４】
前記マトリックスバーコードは、電力を消費しない受動デバイス上に表示される、請求項４３に記載の装置。
【請求項４５】
前記ジオフェンスパラメータが前記ジオフェンスの外周を備える、請求項４３に記載の装置。
【請求項４６】
前記ジオフェンスパラメータが１つまたは複数の警報条件を備える、請求項４５に記載の装置。
【請求項４７】
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ること
のうちの１つまたは複数を備える、請求項４６に記載の装置。
【請求項４８】
前記動作は、
前記１つまたは複数の警報条件が満たされていることに基づいて警報を発すること
をさらに備える、請求項４６に記載の装置。
【請求項４９】
前記発することが、前記ロケーション対応モバイルデバイスのユーザに前記警報を発することを備える、請求項４８に記載の装置。
【請求項５０】
前記発することが、前記ジオフェンスを監視するサードパーティに前記警報を発することを備える、請求項４８に記載の装置。
【請求項５１】
前記ポータブル記憶メディアが、前記ジオフェンスによって制限されたエリアに隣接して配置される、請求項４３に記載の装置。
【請求項５２】
前記ロケーション対応モバイルデバイスが、セルフォン、タブレットコンピュータ、または携帯情報端末のうちの１つである、請求項４３に記載の装置。
【請求項５３】
前記ロケーション対応モバイルデバイスのユーザがサードパーティベンダーから前記ロケーション対応モバイルデバイスを取得する、請求項４３に記載の装置。
【請求項５４】
前記ロケーション対応モバイルデバイスが、前記ジオフェンスに関連付けられた人員によってユーザに与えられる、請求項４３に記載の装置。
【請求項５５】
前記ロケーションイネーブルモバイルデバイスは、それの地理的位置を取得することが可能なモバイルデバイスである、請求項４３に記載の装置。
【請求項５６】
前記動作が、
全地球測位システム（ＧＰＳ）受信機を使用して前記ロケーション対応モバイルデバイスの地理的位置を判断すること
をさらに備える、請求項５５に記載の装置。
【請求項５７】
前記動作は、
前記地理的位置の精度がしきい値よりも小さいことに基づいて、前記地理的位置をオーグメントすることを試みること
をさらに備える、請求項５６に記載の装置。
【請求項５８】
ネットワークダウンロードなしにジオフェンスを与えるための装置であって、
ジオフェンスパラメータを生成するように構成された論理と、
マトリックスバーコードを備えるポータブル記憶メディア上で前記ジオフェンスパラメータを符号化するように構成された論理とる
を備え、
ここにおいて、前記ジオフェンスパラメータは、前記ネットワークダウンロードなしにロケーション対応モバイルデバイスに転送されることができ、装置。
【請求項５９】
ネットワークダウンロードなしにジオフェンスを取得するための装置であって、
ロケーション対応モバイルデバイスによってマトリックスバーコードを読み取るように構成された論理を備え、
前記ネットワークダウンロードなしに前記マトリックスバーコードに基づいてジオフェンスパラメータを取得するように構成された論理と、
を備える、装置。
【請求項６０】
ネットワークダウンロードなしにジオフェンスを与えるための装置であって、
ジオフェンスパラメータを生成するための手段と、
マトリックスバーコードを備えるポータブル記憶メディア上で前記ジオフェンスパラメータを符号化するための手段と
を備え、
ここにおいて、前記ジオフェンスパラメータは、前記ネットワークダウンロードなしにロケーション対応モバイルデバイスに転送されることができる、装置。
【請求項６１】
ネットワークダウンロードなしにジオフェンスを取得するための装置であって、
ロケーション対応モバイルデバイスによってマトリックスバーコードを読み取るための手段と、
前記ネットワークダウンロードなしに前記マトリックスバーコードに基づいてジオフェンスパラメータを取得するための手段と、
を備える、装置。
【請求項６２】
ネットワークダウンロードなしにジオフェンスを与えるための非一時的コンピュータ可読媒体であって、
ジオフェンスパラメータを生成するための少なくとも１つの命令と、
マトリックスバーコードを備えるポータブル記憶メディア上で前記ジオフェンスパラメータを符号化するための少なくとも１つの命令と
を備え、
ここにおいて、前記ジオフェンスパラメータは、前記ネットワークダウンロードなしにロケーション対応モバイルデバイスに転送されることができる、非一時的コンピュータ可読媒体。
【請求項６３】
ネットワークダウンロードなしにジオフェンスを取得するための非一時的コンピュータ可読媒体であって、
ロケーション対応モバイルデバイスによってマトリックスバーコードを読み取るための少なくとも１つの命令と、
前記ネットワークダウンロードなしに前記マトリックスバーコードに基づいてジオフェンスパラメータを取得するための少なくとも１つの命令と、
を備える、非一時的コンピュータ可読媒体。
【手続補正２】
【補正対象書類名】明細書
【補正対象項目名】００７６
【補正方法】変更
【補正の内容】
【００７６】
[0074]上記の開示は本発明の例示的な実施形態を示しているが、添付の特許請求の範囲によって規定される本発明の範囲から逸脱することなく、本明細書において様々な変更および修正が行われ得ることに留意されたい。本明細書で説明した本発明の実施形態による方法クレームの機能、ステップおよび／またはアクションは、特定の順序で実施されなくてもよい。さらに、本発明の要素は、単数形で説明または請求されていることがあるが、単数形に限定することが明示的に述べられていない限り、複数形が企図される。
以下に本願発明の当初の特許請求の範囲に記載された発明を付記する。
［Ｃ１］
ネットワークダウンロードなしにジオフェンスを与えるための方法であって、
ジオフェンスパラメータを生成することと、
ポータブル記憶メディア上で前記ジオフェンスパラメータを符号化することとを備え、
ここにおいて、前記ジオフェンスパラメータは、ロケーション対応モバイルデバイスが前記ポータブル記憶メディアを走査するときに前記ロケーション対応モバイルデバイスに転送される、方法。
［Ｃ２］
前記ポータブル記憶メディアが、
マトリックスバーコード、
無線周波数識別（ＲＦＩＤ）タグ、または
ニアフィールド通信（ＮＦＣ）送信機のうちの１つである、Ｃ１に記載の方法。
［Ｃ３］
前記ポータブル記憶メディアを走査することが、前記マトリックスバーコードを読み取ることを備える、Ｃ２に記載の方法。
［Ｃ４］
前記ポータブル記憶メディアを走査することが、前記ＲＦＩＤタグを走査することを備える、Ｃ２に記載の方法。
［Ｃ５］
前記ポータブル記憶メディアを走査することが、前記ＮＦＣ送信機を走査することを備える、Ｃ２に記載の方法。
［Ｃ６］
前記ポータブル記憶メディアが、電力を消費しない受動デバイスである、Ｃ１に記載の方法。
［Ｃ７］
前記ジオフェンスパラメータが前記ジオフェンスの外周を備える、Ｃ１に記載の方法。
［Ｃ８］
前記ジオフェンスパラメータが１つまたは複数の警報条件を備える、Ｃ１に記載の方法。
［Ｃ９］
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ることのうちの１つまたは複数を備える、Ｃ８に記載の方法。
［Ｃ１０］
前記ロケーション対応モバイルデバイスは、前記１つまたは複数の警報条件が満たされた場合に警報を発する、Ｃ８に記載の方法。
［Ｃ１１］
前記ロケーション対応モバイルデバイスが前記ロケーション対応モバイルデバイスのユーザに前記警報を発する、Ｃ１０に記載の方法。
［Ｃ１２］
前記ロケーション対応モバイルデバイスが、前記ジオフェンスを監視するサードパーティに警報を発する、Ｃ１０に記載の方法。
［Ｃ１３］
前記ポータブル記憶メディアが、前記ジオフェンスによって制限されたエリアに隣接して配置される、Ｃ１に記載の方法。
［Ｃ１４］
前記ロケーション対応モバイルデバイスが、セルフォン、タブレットコンピュータ、または携帯情報端末のうちの１つである、Ｃ１に記載の方法。
［Ｃ１５］
前記ロケーション対応モバイルデバイスのユーザがサードパーティベンダーから前記ロケーション対応モバイルデバイスを取得する、Ｃ１に記載の方法。
［Ｃ１６］
前記ロケーション対応モバイルデバイスが、前記ジオフェンスに関連付けられた人員によってユーザに与えられる、Ｃ１に記載の方法。
［Ｃ１７］
ネットワークダウンロードなしにジオフェンスを取得するための方法であって、
ロケーション対応モバイルデバイスによってポータブル記憶メディアを走査することを備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、方法。
［Ｃ１８］
前記ポータブル記憶メディアが、
マトリックスバーコード、
無線周波数識別（ＲＦＩＤ）タグ、または
ニアフィールド通信（ＮＦＣ）送信機のうちの１つである、Ｃ１７に記載の方法。
［Ｃ１９］
前記ポータブル記憶メディアを走査することが、前記マトリックスバーコードを読み取ることを備える、Ｃ１８に記載の方法。
［Ｃ２０］
前記ポータブル記憶メディアを走査することが、前記ＲＦＩＤタグを走査することを備える、Ｃ１８に記載の方法。
［Ｃ２１］
前記ポータブル記憶メディアを走査することが、前記ＮＦＣ送信機を走査することを備える、Ｃ１８に記載の方法。
［Ｃ２２］
前記ポータブル記憶メディアが、電力を消費しない受動デバイスである、Ｃ１７に記載の方法。
［Ｃ２３］
前記ジオフェンスパラメータが前記ジオフェンスの外周を備える、Ｃ１７に記載の方法。
［Ｃ２４］
前記ジオフェンスパラメータが１つまたは複数の警報条件を備える、Ｃ１７に記載の方法。
［Ｃ２５］
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ることのうちの１つまたは複数を備える、Ｃ２４に記載の方法。
［Ｃ２６］
前記１つまたは複数の警報条件が満たされた場合に警報を発することをさらに備える、Ｃ２４に記載の方法。
［Ｃ２７］
前記発することが、前記ロケーション対応モバイルデバイスのユーザに前記警報を発することを備える、Ｃ２６に記載の方法。
［Ｃ２８］
前記発することが、前記ジオフェンスを監視するサードパーティに前記警報を発することを備える、Ｃ２６に記載の方法。
［Ｃ２９］
前記ポータブル記憶メディアが、前記ジオフェンスによって制限されたエリアに隣接して配置される、Ｃ１７に記載の方法。
［Ｃ３０］
前記ロケーション対応モバイルデバイスが、セルフォン、タブレットコンピュータ、または携帯情報端末のうちの１つである、Ｃ１７に記載の方法。
［Ｃ３１］
前記ロケーション対応モバイルデバイスのユーザがサードパーティベンダーから前記ロケーション対応モバイルデバイスを取得する、Ｃ１７に記載の方法。
［Ｃ３２］
前記ロケーション対応モバイルデバイスが、前記ジオフェンスに関連付けられた人員によってユーザに与えられる、Ｃ１７に記載の方法。
［Ｃ３３］
前記ロケーションイネーブルモバイルデバイスは、それの地理的位置を取得することが可能なモバイルデバイスである、Ｃ１７に記載の方法。
［Ｃ３４］
全地球測位システム（ＧＰＳ）受信機を使用して前記ロケーション対応モバイルデバイスの地理的位置を判断することをさらに備える、Ｃ３３に記載の方法。
［Ｃ３５］
前記地理的位置の精度がしきい値よりも小さい場合、前記地理的位置をオーグメントすることを試みることをさらに備える、Ｃ３４に記載の方法。
［Ｃ３６］
非一時的ポータブル記憶メディアであって、
ジオフェンスの外周と、
前記ジオフェンスの前記外周に関連付けられた１つまたは複数の警報条件とを含む、ジオフェンスパラメータを備え、
ここにおいて、前記ポータブル記憶メディアを走査することが、前記ジオフェンスパラメータをロケーション対応モバイルデバイスに転送する、非一時的ポータブル記憶メディア。
［Ｃ３７］
前記ポータブル記憶メディアが、
マトリックスバーコード、
無線周波数識別（ＲＦＩＤ）タグ、または
ニアフィールド通信（ＮＦＣ）送信機のうちの１つである、Ｃ３６に記載のポータブル記憶メディア。
［Ｃ３８］
前記ポータブル記憶メディアを走査することが、前記マトリックスバーコードを読み取ることを備える、Ｃ３７に記載のポータブル記憶メディア。
［Ｃ３９］
前記ポータブル記憶メディアを走査することが、前記ＲＦＩＤタグを走査することを備える、Ｃ３７に記載のポータブル記憶メディア。
［Ｃ４０］
前記ポータブル記憶メディアを走査することが、前記ＮＦＣ送信機を走査することを備える、Ｃ３７に記載のポータブル記憶メディア。
［Ｃ４１］
前記ポータブル記憶メディアが、電力を消費しない受動デバイスである、Ｃ３６に記載のポータブル記憶メディア。
［Ｃ４２］
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ることのうちの１つまたは複数を備える、Ｃ３６に記載のポータブル記憶メディア。
［Ｃ４３］
ネットワークダウンロードなしにジオフェンスを与えるための装置であって、
少なくとも１つのプロセッサと、
命令を記憶するメモリとを備え、前記命令は、前記少なくとも１つのプロセッサによって実行されたとき、前記装置に、
ジオフェンスパラメータを生成することと、
ポータブル記憶メディア上で前記ジオフェンスパラメータを符号化することと
を備える動作を実行させ、
ここにおいて、前記ジオフェンスパラメータは、ロケーション対応モバイルデバイスが前記ポータブル記憶メディアを走査するときに前記ロケーション対応モバイルデバイスに転送される、装置。
［Ｃ４４］
前記ポータブル記憶メディアが、
マトリックスバーコード、
無線周波数識別（ＲＦＩＤ）タグ、または
ニアフィールド通信（ＮＦＣ）送信機のうちの１つである、Ｃ４３に記載の装置。
［Ｃ４５］
前記ポータブル記憶メディアを走査することが、前記マトリックスバーコードを読み取ることを備える、Ｃ４４に記載の装置。
［Ｃ４６］
前記ポータブル記憶メディアを走査することが、前記ＲＦＩＤタグを走査することを備える、Ｃ４４に記載の装置。
［Ｃ４７］
前記ポータブル記憶メディアを走査することが、前記ＮＦＣ送信機を走査することを備える、Ｃ４４に記載の装置。
［Ｃ４８］
前記ポータブル記憶メディアが、電力を消費しない受動デバイスである、Ｃ４３に記載の装置。
［Ｃ４９］
前記ジオフェンスパラメータが前記ジオフェンスの外周を備える、Ｃ４３に記載の装置。
［Ｃ５０］
前記ジオフェンスパラメータが１つまたは複数の警報条件を備える、Ｃ４９に記載の装置。
［Ｃ５１］
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ることのうちの１つまたは複数を備える、Ｃ５０に記載の装置。
［Ｃ５２］
前記ロケーション対応モバイルデバイスは、前記１つまたは複数の警報条件が満たされた場合に警報を発する、Ｃ５０に記載の装置。
［Ｃ５３］
前記ロケーション対応モバイルデバイスが前記ロケーション対応モバイルデバイスのユーザに前記警報を発する、Ｃ５２に記載の装置。
［Ｃ５４］
前記ロケーション対応モバイルデバイスが、前記ジオフェンスを監視するサードパーティに警報を発する、Ｃ５２に記載の装置。
［Ｃ５５］
前記ポータブル記憶メディアが、前記ジオフェンスによって制限されたエリアに隣接して配置される、Ｃ４３に記載の装置。
［Ｃ５６］
前記ロケーション対応モバイルデバイスが、セルフォン、タブレットコンピュータ、または携帯情報端末のうちの１つである、Ｃ４３に記載の装置。
［Ｃ５７］
前記ロケーション対応モバイルデバイスのユーザがサードパーティベンダーから前記ロケーション対応モバイルデバイスを取得する、Ｃ４３に記載の装置。
［Ｃ５８］
前記ロケーション対応モバイルデバイスが、前記ジオフェンスに関連付けられた人員によってユーザに与えられる、Ｃ４３に記載の装置。
［Ｃ５９］
ネットワークダウンロードなしにジオフェンスを取得するための装置であって、
少なくとも１つのプロセッサと、
命令を記憶するメモリとを備え、前記命令は、前記少なくとも１つのプロセッサによって実行されたとき、前記装置に、
ロケーション対応モバイルデバイスによってポータブル記憶メディアを走査すること
を備える動作を実行させ、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、装置。
［Ｃ６０］
前記ポータブル記憶メディアが、
マトリックスバーコード、
無線周波数識別（ＲＦＩＤ）タグ、または
ニアフィールド通信（ＮＦＣ）送信機のうちの１つである、Ｃ５９に記載の装置。
［Ｃ６１］
前記ポータブル記憶メディアを走査することが、前記マトリックスバーコードを読み取ることを備える、Ｃ６０に記載の装置。
［Ｃ６２］
前記ポータブル記憶メディアを走査することが、前記ＲＦＩＤタグを走査することを備える、Ｃ６０に記載の装置。
［Ｃ６３］
前記ポータブル記憶メディアを走査することが、前記ＮＦＣ送信機を走査することを備える、Ｃ６０に記載の装置。
［Ｃ６４］
前記ポータブル記憶メディアが、電力を消費しない受動デバイスである、Ｃ５９に記載の装置。
［Ｃ６５］
前記ジオフェンスパラメータが前記ジオフェンスの外周を備える、Ｃ５９に記載の装置。
［Ｃ６６］
前記ジオフェンスパラメータが１つまたは複数の警報条件を備える、Ｃ６５に記載の装置。
［Ｃ６７］
前記１つまたは複数の警報条件が、
前記ジオフェンスの前記外周に入ること、
前記ジオフェンスの前記外周を出ること、
指定された時間よりも長い間、前記ジオフェンスの前記外周内に残ること、
指定された時間よりも長い間、前記ジオフェンスの前記外周を離れること、
指定された時間期間中に前記ジオフェンスの前記外周に入ること、または
指定された時間期間中に前記ジオフェンスの前記外周を出ることのうちの１つまたは複数を備える、Ｃ６６に記載の装置。
［Ｃ６８］
前記動作は、
前記１つまたは複数の警報条件が満たされた場合に警報を発することをさらに備える、Ｃ６６に記載の装置。
［Ｃ６９］
前記発することが、前記ロケーション対応モバイルデバイスのユーザに前記警報を発することを備える、Ｃ６８に記載の装置。
［Ｃ７０］
前記発することが、前記ジオフェンスを監視するサードパーティに前記警報を発することを備える、Ｃ６８に記載の装置。
［Ｃ７１］
前記ポータブル記憶メディアが、前記ジオフェンスによって制限されたエリアに隣接して配置される、Ｃ５９に記載の装置。
［Ｃ７２］
前記ロケーション対応モバイルデバイスが、セルフォン、タブレットコンピュータ、または携帯情報端末のうちの１つである、Ｃ５９に記載の装置。
［Ｃ７３］
前記ロケーション対応モバイルデバイスのユーザがサードパーティベンダーから前記ロケーション対応モバイルデバイスを取得する、Ｃ５９に記載の装置。
［Ｃ７４］
前記ロケーション対応モバイルデバイスが、前記ジオフェンスに関連付けられた人員によってユーザに与えられる、Ｃ５９に記載の装置。
［Ｃ７５］
前記ロケーションイネーブルモバイルデバイスは、それの地理的位置を取得することが可能なモバイルデバイスである、Ｃ５９に記載の装置。
［Ｃ７６］
前記動作が、
全地球測位システム（ＧＰＳ）受信機を使用して前記ロケーション対応モバイルデバイスの地理的位置を判断することをさらに備える、Ｃ７５に記載の装置。
［Ｃ７７］
前記動作は、
前記地理的位置の精度がしきい値よりも小さい場合、前記地理的位置をオーグメントすることを試みることをさらに備える、Ｃ７６に記載の装置。
［Ｃ７８］
ネットワークダウンロードなしにジオフェンスを与えるための装置であって、
ジオフェンスパラメータを生成するように構成された論理と、
ポータブル記憶メディア上で前記ジオフェンスパラメータを符号化するように構成された論理とを備え、
ここにおいて、前記ジオフェンスパラメータは、ロケーション対応モバイルデバイスが前記ポータブル記憶メディアを走査するときに前記ロケーション対応モバイルデバイスに転送される、装置。
［Ｃ７９］
ネットワークダウンロードなしにジオフェンスを取得するための装置であって、
ロケーション対応モバイルデバイスによってポータブル記憶メディアを走査するように構成された論理を備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、装置。
［Ｃ８０］
ネットワークダウンロードなしにジオフェンスを与えるための装置であって、
ジオフェンスパラメータを生成するための手段と、
ポータブル記憶メディア上で前記ジオフェンスパラメータを符号化するための手段とを備え、
ここにおいて、前記ジオフェンスパラメータは、ロケーション対応モバイルデバイスが前記ポータブル記憶メディアを走査するときに前記ロケーション対応モバイルデバイスに転送される、装置。
［Ｃ８１］
ネットワークダウンロードなしにジオフェンスを取得するための装置であって、
ロケーション対応モバイルデバイスによってポータブル記憶メディアを走査するための手段を備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、装置。
［Ｃ８２］
ネットワークダウンロードなしにジオフェンスを与えるための非一時的コンピュータ可読媒体であって、
ジオフェンスパラメータを生成するための少なくとも１つの命令と、
ポータブル記憶メディア上で前記ジオフェンスパラメータを符号化するための少なくとも１つの命令とを備え、
ここにおいて、前記ジオフェンスパラメータは、ロケーション対応モバイルデバイスが前記ポータブル記憶メディアを走査するときに前記ロケーション対応モバイルデバイスに転送される、非一時的コンピュータ可読媒体。
［Ｃ８３］
ネットワークダウンロードなしにジオフェンスを取得するための非一時的コンピュータ可読媒体であって、
ロケーション対応モバイルデバイスによってポータブル記憶メディアを走査するための少なくとも１つの命令を備え、
ここにおいて、前記ポータブル記憶メディアがジオフェンスパラメータを記憶し、
ここにおいて、前記ポータブル記憶メディアを走査することが、前記ジオフェンスパラメータを前記ロケーション対応モバイルデバイスに転送する、非一時的コンピュータ可読媒体。
【国際調査報告】
2016506637.tif 000011
2016506637.tif 000012